【手続補正書】
【提出日】平成20年9月12日(2008.9.12)
【手続補正１】
【補正対象書類名】明細書
【補正対象項目名】特許請求の範囲
【補正方法】変更
【補正の内容】
【特許請求の範囲】
【請求項１】  透明なセレーション群を有し、各セレーションが頂点を有する第１の側面と、
反対側の第２の側面と、
光を吸収するように前記頂点間で前記セレーション群上に配置される黒色バリアと、
を有し、
それぞれの前記セレーションは、それを通して光を導くための透明な第１のファセットと、前記第１のファセットと前記第２の側面との間で前記導かれた光の全反射をもたらすための、前記頂点において前記第１のファセットと隣接する反対側の第２のファセットと、を有する、
ことを特徴とする光学ディスプレイパネル。
【請求項２】  それぞれの前記セレーションは三角プリズムを有し、前記第１及び第２のファセットは該プリズムの向かい合う側面を画成し、前記第１及び第２のファセットはその間に内包された頂角を有する前記頂点にて交差することを特徴とする請求項１のパネル。
【請求項３】  各前記セレーションは互いに横方向に配置されており、前記黒色バリアは光を吸収するようにその間に横方向に延在することを特徴とする請求項１のパネル。
【請求項４】  前記黒色バリアは、前記セレーション間で平坦で、前記パネルの第２の側面に対して実質的に平行であり、又前記黒色バリアは、光を吸収するように隣接した各セレーションの向かい合う第１及び第２のファセット間に設けられていることを特徴とする請求項３のパネル。
【請求項５】  各前記セレーションは互いに近接しており、前記黒色バリアは隣接する各セレーションの第１及び第２のファセットと共に延在することを特徴とする請求項３のパネル。
【請求項６】  前記黒色バリアは、内包された溝角を有する溝を画成することを特徴とする請求項５のパネル。
【請求項７】  前記第１及び第２のファセットはその間に内包された頂角を有する前記頂点にて交差し、前記内包された溝角は実質的に前記頂角と等しいことを特徴とする請求項６のパネル。
【請求項８】  前記黒色バリアは前記溝を画成する第１及び第２の溝側面を有し、各溝側面は前記パネルの第２の側面に対して傾斜しており、又前記第２の側面を通して前記パネルに入る周辺光は、前記第１の溝側面にて全て若しくは部分的に阻止又は吸収され、いくらかの残りの周辺光は、近接したセレーションの黒色バリアの前記第２の溝側面に向かって反射され、ここで該残りの周辺光は更に阻止又は吸収されることを特徴とする請求項６のパネル。
【請求項９】  前記黒色バリアは、隣接した各セレーションの前記第１及び第２のファセット間でアーチ形であることを特徴とする請求項５のパネル。
【請求項１０】  前記黒色バリアは、隣接した各セレーションの前記第１及び第２のファセット間で凹状であることを特徴とする請求項５のパネル。
【請求項１１】  前記黒色バリアは、塗料を含むことを特徴とする請求項１のパネル。
【請求項１２】  前記黒色バリアは、黒色コーティングを含むことを特徴とする請求項１のパネル。
【請求項１３】  別の黒色バリアが、前記パネルの第２の側面上に設けられることを特徴とする請求項１のパネル。
【請求項１４】  前記黒色バリア及び前記別の黒色バリアは、協働して、前記パネルを前記パネルの第２の側面を通して見たときに黒色マトリクスを画成することを特徴とする請求項１３のパネル。
【請求項１５】  前記第１の側面上の前記黒色バリアは、前記第１の側面上の前記セレーション群と平行な要素群を有し、又前記第２の側面上の前記別の黒色バリアは、前記第１の側面上の前記セレーション群に垂直な要素群を有することを特徴とする請求項１３のパネル。
【請求項１６】  前記第１の側面上の前記黒色バリアは、前記第１の側面上の前記セレーション群に垂直な要素群を有し、又前記第２の側面上の前記別の黒色バリアは、前記第１の側面上の前記セレーション群と平行な要素群を有することを特徴とする請求項１３のパネル。
【請求項１７】  各前記第１のファセットには、切り欠きが設けられていることを特徴とする請求項１のパネル。
【請求項１８】  各前記第１のファセットの各前記切り欠きが設けられた部分は、受容された画像光に対して垂直であることを特徴とする請求項１７のパネル。
【請求項１９】  各前記セレーションは、前記パネルの幅にわたり水平方向に延在し、又前記パネルの高さにわたり互いに垂直方向に配置されていることを特徴とする請求項１のパネル。
【請求項２０】  更に、前記パネルの第２の側面に設けられた拡散部材を有することを特徴とする請求項１のパネル。
【請求項２１】  前記パネルの第２の側面は艶消しにされていることを特徴とする請求項１のパネル。
【請求項２２】  透明なセレーション群を有し各セレーションが頂点を有する第１の側面と、反対側の第２の側面と、光を吸収するように前記頂点間で前記セレーション群上に配置される黒色バリアと、を有する光学パネルであって、それぞれのセレーションは、透明な第１のファセットと、前記頂点において前記第１のファセットと隣接する反対側の第２のファセットと、を有する光学パネルと、
画像光を投影するための投影系であって、各前記第１のファセットを照明するように前記画像光を鋭い入射角にて前記パネルの第１の側面に投影するためのプロジェクタを有し、前記画像光は各前記第１のファセットを通して透過され、各前記第２のファセットは、前記画像光の全反射をもたらし、それによって前記画像光を前記パネルの第２の側面を通して実質的にそれに対して垂直に指向させるように傾いている投影系と、
を有することを特徴とする光学ディスプレイパネルシステム。
【請求項２３】  前記黒色バリアは、前記頂点間の前記パネルの第１の側面上で、近接したセレーションの前記第１のファセットを照明することによってもたらされる影内に設けられており、前記セレーション群は前記黒色バリアから各前記頂点に向かって外側で透明であることを特徴とする請求項２２のパネルシステム。
【請求項２４】  各前記第１のファセットは、前記プロジェクタからの前記画像光に対して傾斜していることを特徴とする請求項２２のパネルシステム。
【請求項２５】  各前記第１のファセットは、前記プロジェクタからの前記画像光に対して垂直であることを特徴とする請求項２２のパネルシステム。
【請求項２６】  各前記第１のファセットには、切り欠きが設けられていることを特徴とする請求項２２のパネルシステム。
【請求項２７】  各前記第１のファセットの各前記切り欠きが設けられた部分は、前記プロジェクタからの前記画像光に対して垂直であることを特徴とする請求項２６のパネルシステム。
【請求項２８】  更に、前記パネルの第２の側面に設けられた拡散部材を有することを特徴とする請求項２２のパネルシステム。
【請求項２９】  前記パネルの第２の側面は艶消しにされていることを特徴とする請求項２２のパネルシステム。
【請求項３０】  各前記セレーションは前記パネルの幅にわたり水平方向に延在し、又前記パネルの高さにわたり互いに垂直方向に配置されていることを特徴とする請求項２２のパネルシステム。
【請求項３１】  透明なセレーション群を有する入口面と、反対側の出口画面と、を有する光学ディスプレイパネルであって、
それぞれの前記セレーションは、それを通して光を導くための透明な第１のファセットと、頂点において前記第１のファセットと隣接する反対側の第２のファセットであって、前記第１のファセットと前記光を表示する前記反対側の出口画面との間で前記導かれた光の全反射をもたらす第２のファセットと、を有し、
前記パネルは更に、前記セレーション群上に配置され、前記セレーション群の頂点間に整列された黒色材料であって、その間で光を吸収する一方各前記頂点を通して光を透過することを許すための黒色材料を有する、
ことを特徴とする前記パネル。
【請求項３２】  前記黒色材料は、前記入口面上で前記各透明なセレーション間に横方向に、その間で光を吸収するように設けられていることを特徴とする請求項３１のパネル。
【請求項３３】  前記黒色材料は、前記セレーション間で平坦で、前記出口画面に対して実質的に平行であり、又前記黒色材料は、光を吸収するように隣接した各セレーションの向かい合う第１及び第２のファセット間に設けられていることを特徴とする請求項３２のパネル。
【請求項３４】  前記透明なセレーション群は、前記パネルの幅にわたり配置され、又前記パネルの高さにわたり横方向に離間していることを特徴とする請求項３１のパネル。
【請求項３５】  各前記セレーションは互いに近接しており、それぞれのセレーションは三角プリズムを有し、前記第１及び第２のファセットは、その間に内包された頂角を有する前記頂点にて交差して該プリズムの向かい合う側面を画成し、
前記黒色材料は、隣接した各セレーションの第１及び第２のファセットと共に延在し、又、前記黒色材料は、溝を画成することを特徴とする請求項３１のパネル。
【請求項３６】  前記溝は、内包された溝角を有することを特徴とする請求項３５のパネル。
【請求項３７】  前記内包された溝角は、実質的に前記頂角と等しいことを特徴とする請求項３６のパネル。
【請求項３８】  前記黒色材料は、前記溝を画成する第１及び第２の溝側面を有し、各溝側面は前記出口画面に対して傾斜しており、又前記出口画面を通して前記パネルに入る周辺光は、第１の溝側面にて全て若しくは部分的に阻止又は吸収され、いくらかの残りの周辺光は、近接したセレーションの黒色材料の前記第２の溝側面に向かって反射され、ここで該残りの周辺光は更に阻止又は吸収されることを特徴とする請求項３６のパネル。
【請求項３９】  前記溝は、アーチ形であることを特徴とする請求項３５のパネル。
【請求項４０】  前記溝は、凹状であることを特徴とする請求項３５のパネル。
【請求項４１】  各前記第１のファセットには、切り欠きが設けられていることを特徴とする請求項３１のパネル。
【請求項４２】  各前記第１のファセットの各前記切り欠きが設けられた部分は、前記光に対して垂直であることを特徴とする請求項４１のパネル。
【請求項４３】  前記黒色材料は、グリッドとして設けられることを特徴とする請求項３１のパネル。
【請求項４４】  更に、前記出口画面に設けられた拡散部材を有することを特徴とする請求項３１のパネル。
【請求項４５】  前記出口画面は艶消しにされていることを特徴とする請求項３１のパネル。
【請求項４６】  画像光を受容し且つ画像光の全反射をもたらすようにそこから突出した透明なセレーション群を有する、黒色の入口面を有する光学ディスプレイパネルであって、
それぞれの前記セレーションは頂点にて交差する第１及び第２のファセットを有し、
前記黒色の入口面は、前記頂点間にその間の光を吸収するために設けられた黒色バリアを有し、
前記パネルは更に、前記黒色の入口面にて光が吸収されることによる増加されたコントラストを伴って前記画像光を表示するための反対側の出口画面を有する、
ことを特徴とする前記パネル。
【請求項４７】  更に、前記出口画面に設けられた拡散部材を有することを特徴とする請求項４６のパネル。
【請求項４８】  前記出口画面は艶消しにされていることを特徴とする請求項４６のパネル。
【請求項４９】  前記第１及び第２のファセットは三角プリズムを画成することを特徴とする請求項４６のパネル。
【手続補正２】
【補正対象書類名】図面
【補正対象項目名】全図
【補正方法】変更
【補正の内容】
【図１】
2004505290.tif 000001
【図２】
2004505290.tif 000002
【図３】
2004505290.tif 000003
【図４】
2004505290.tif 000004
【図５】
2004505290.tif 000005
【図６】
2004505290.tif 000006
【図７】
2004505290.tif 000007